(57)【要約】【課題】インターネット上で加入するサービスの会員登録時の本人認証や氏名住所などの個人プロフィール事項の登録を、極めて簡易に行う。【解決手段】インターネット上で加入するどのサービスの会員登録は、本人認証証書や氏名住所など共通性のある事項があるが、利用者は多くのサービスに加入する都度、同様の要求項目の入力を強いられている。これによって一定の利用者が離脱していることも考えられる。本発明は上記の課題を解決するために、利用者端末と、サービス事業者のサーバーとの間にある汎用ＩＤ発行管理システムであって、各利用者のプロフィールを記憶する利用者情報記憶手段を有する。前記汎用ＩＤ発行管理システムは、利用者の登録するプロフィールデータと本人確認証書をブロックチェーン上に登録する機能も有し、前記利用者が前記利用者端末から各サービス事業者のサーバーへ会員登録を行う場合に、前記汎用ＩＤ発行管理システムが、前記利用者が登録したデータを前記サービス事業者のサーバーに送信する。【選択図】図１
2020201915.tif 000002
【特許請求の範囲】
【請求項１】
利用者がインターネットに存在する多数のサービスの会員登録時に利用出来る、汎用ＩＤ発行管理システムであって、利用者端末と汎用ＩＤ発行管理サーバーとブロックチェーンとサービス事業者のサーバーとで構成される管理システムであり、前記サービス事業者のサービスにおいて前記利用者が負担なくデータ再利用による会員登録と付帯サービスを効率的に行うことを特徴とする汎用ＩＤ発行管理システム。
【請求項２】
請求項１に記載の汎用ＩＤ発行管理システムにおいて、発行した前記汎用ＩＤを前記利用者が管理し、全体管理を行い、サービスに登録する強固なパスワードの自動発行を行い、メールアドレスの省略が可能とし、必要時に前記サービスを即座に入会退会できることを特徴とする汎用ＩＤ発行管理システム。
【請求項３】
請求項１及び請求項２に記載の汎用ＩＤ発行管理システムにおいて、ＩＤ発行時に行う本人認証証書に基づく認証で、個人プロフィールデータとして、改ざん出来ない形態で前記汎用ＩＤ発行管理サーバーと前記ブロックチェーンに記憶され、前記サービス事業者のサービスにおいて前記本人認証証書を用いずに簡易に会員登録が可能なことを特徴とする汎用ＩＤ発行管理システム。
【発明の詳細な説明】
【技術分野】
【０００１】  この発明は汎用ＩＤ発行管理システムに関する。
【背景技術】
【０００２】  近年コンピュータ技術の進展に伴い、インターネットを利用したサービスの発展は目覚ましく、数多くのサービスがインターネット上に存在するが、それぞれのサービスシステムにおいては会員登録を厳密に行うために氏名や住所など数多くの項目を入力必須としている。近年ではフェイスブックやアップルなどが同社のＩＤ・パスワードを使って他のサービスに入会する方法も開発されている。
【先行技術文献】
【非特許文献】
【０００３】
【非特許文献１】「ブロックチェーンの仕組みとその可能性」ｈｔｔｐ：／／ｆｉｓ．ｎｒｉ．ｃｏ．ｊｐ／ｊａ−ＪＰ／ｐｕｂｌｉｃａｔｉｏｎ／ｋｉｎｙｕ＿ｉｔｆ／ｂａｃｋｎｕｍｂｅｒ／２０１５／１０／２０１５１０＿０７．ｈｔｍｌ
【発明の概要】
【発明が解決しようとする課題】
【０００４】  インターネット上で利用者側がサービスを利用する場合、そのサービスの会員権を取得するための入力工数が多く、サービスの会員登録に必要な情報の入力が利用者にとって毎回の負担となっている。サービスの性質によっては本人確認のために運転免許証やパスポートなどの本人認証証書を利用端末のカメラで撮影して送信する必要もあり、数多くサービスを受けるためには多くの入力作業をサービスの数だけ繰り返すことになる。これはインターネット上の新たなサービスが開発される都度利用者の負担となっている。また、この負担が加入者の増大にブレーキをかける一理由とも考えられる。【０００５】  また、多くのサービスを利用すると、現在利用している複数のサービスの把握やその費用などの管理にも工数がかかるようになり、使わないサービスに長い期間費用を払い続けることも考えられる。無料サービスはこの数を上回りほとんど管理不能になっていることも想像に難くない。個人的判断に頼ってのサービス入会におけるＩＤやパスワードの発行は使い回しを発生させ、将来の情報流出やハッキングにも繋がりやすい。【０００６】  この課題に対応したフェイスブックなどの既存システムのＩＤやパスワードを利用した方法も考えられているが、既存システムはＩＤ管理のためのシステムではないと考えられるため、自ずとプラットフォームが限られ、万人に向けたサービスとは言い難い。
【課題を解決するための手段】
【０００７】  本発明は上記の課題を解決するために、インターネット上の各利用者端末と、各サービス事業者のサーバーとの間にある汎用ＩＤ発行管理システムであって、各利用者のプロフィールを記憶する利用者情報記憶手段を有する。前記汎用ＩＤ発行管理システムは、前記各利用者の登録するプロフィールデータと、利用端末のカメラ機能撮影による本人確認証書の画像をブロックチェーン上に登録する機能も有し、前記各利用者が利用者端末から前記各サービス事業者のサーバーへ会員登録を行う場合に、前記汎用ＩＤ発行管理システムが、ＩＤ発行時に前記各利用者が登録したデータを再利用し、前記各サービス事業者のサーバーに送信し、会員登録を行う。前記汎用ＩＤ発行管理システムはさらに前記各サービス事業者からのメッセージも受けることにより、サービスに必要な付帯サービスの効率運営を行う機能も有する。
【発明の効果】
【０００８】  本発明により、利用者が汎用ＩＤ発行管理システムに登録したデータをインターネット上で再利用することが可能になり、間違いがなく、入力負荷の軽減が可能になる。また、サービス事業者が改ざんの出来ないデータの再利用と、利用者の本人認証を省略することで、スピーディーで利用者の利便性の高い、会員登録サービスを行うことができる。【０００９】  また、メールを利用しないことも可能で迷惑メールの減少を可能とし、サービス側からの通知やイベント参加などの付帯業務への応用にも高度な効果を発揮する。【００１０】  さらに利用者はインターネット上に幾つのサービスに加入しているかが即座に確認でき、その明細や費用を管理し、スムーズな入会と退会を行える。
【図面の簡単な説明】
【００１１】
【図１】本発明の一実施形態が適用された汎用ＩＤ発行管理システムの構成を示す構成図である。
【図２】汎用ＩＤ発行画面遷移の一例を示す図である。
【図３】汎用ＩＤ発行時の本人確認カメラ撮影の一例を示す図である。
【図４】利用者端末に表示する汎用ＩＤ発行完了遷移の一例を示す図である。
【図５】利用者が汎用ＩＤの発行を行う場合のシーケンス図である
【図６】サービス企業が行う汎用ＩＤを利用するサービス申請画面遷移の一例である。
【図７】サービス企業の申請画面で申し込みの完了画面遷移の一例である。
【図８】利用者が汎用ＩＤを使ってサービス事業者のサービスの会員登録を申し込む場合のシーケンス図である。
【図９】企業のイベントで利用者端末での画面遷移の表示例である。
【図１０】企業のイベントで受付時の利用者端末の利用例である。
【図１１】利用者が汎用ＩＤの発行で入会したサービスの管理の一例である。
【発明を実施するための形態】
【００１２】  以下、図面を用いてこの発明を実施するための形態を説明する。
【実施例】
【００１３】  図１は、本発明の一実施形態である汎用ＩＤ発行管理システムの構成を示す構成図である。本実施形態の汎用ＩＤ発行管理システムは、複数の利用者端末１１（例えばスマートフォンなど）と、汎用ＩＤ発行管理サーバー１２と、複数のサービス事業者１４と少なくとも１つの外部システム１５とを有し、これらは携帯電話網、インターネットなどの通信ネットワーク１３を介して接続されており、ネットワークの中ではブロックチェーン１３１と接続している。【００１４】  本実施形態の利用者端末１１は、通信、カメラの機能を有するもので、メール、ウェブやアプリケーションが作動し、インターネットを介して汎用ＩＤ発行管理サーバーと接続しており、同時にインターネット上に多くのサービス事業者が運営しているサービスと接続できる。【００１５】  汎用ＩＤ発行管理サーバー１２は、各利用者のプロフィールに基づいて、電子的なデータが保管されている。【００１６】  通信ネットワーク１３はインターネットを介したネットワークで、その中にはブロックチェーン１３１が存在する。【００１７】  サービス事業者のサーバー１４は、インターネット通信を介して汎用ＩＤ発行管理サーバーと接続している。【００１８】  サービス事業者のサーバー１４は、汎用ＩＤ発行管理サーバーのアプリケーションインターフェイスが組み込まれログインやブロックチェーンと接続が可能である。【００１９】  汎用ＩＤ発行管理サーバー１２の管理するデータは汎用ＩＤ発行のための利用者の基本情報（例えば、名前、メールアドレス、電話番号など）組織情報（例えば、会社名、メールアドレス、電話番号、所属、役職名など）を保有する。本人認証証書と本人の顔写真を保有する。【００２０】  外部システム１５は、メールシステム、検索システム、画像クラウドシステム、郵便番号変換システムなどを提供するシステムである。【００２１】  ブロックチェーンは過去のデータを改ざんすることのできない仕組みを持つインターネット上の分散型台帳データベースである。【００２２】  次に、本実施形態の処理について説明する。【００２３】＜＜汎用ＩＤ発行処理＞＞
図２は、汎用ＩＤ発行の画面遷移の一例を示す。図示する例では、画面２０１（ａ）は汎用ＩＤ発行のための利用者の基本情報を設定・登録するための画面である。画面２０２（ｂ）は汎用ＩＤ発行のための利用者が所属する組織情報を設定・登録するための画面であり、登録ボタンで各登録項目がサーバーに送信され登録される。この時に汎用ＩＤシステムの利用する時のＩＤ記号がメールにより送付される。画面２０３（ｃ）は汎用ＩＤ発行のためのログインパスワードを登録する画面である。新しいパスワードのボタンをタップするとランダムに強靭なパスワードを自動生成できる。画面２０４（ｄ）は本人認証を行うためのログイン画面であり、メールにより送付されたＩＤ記号と登録されたパスワードを入力してログインを行う。ログインが成功すると画面２０５（ｅ）に遷移し、本人を特定できる免許証やパスポートを用意して撮影する旨のテキスト表示が行われ、この例では利用者が次へのボタンをタップすることでカメラが起動する。【００２４】  図３は、汎用ＩＤ発行時の本人認証を行うための利用者端末によるカメラ撮影の一例を示す。バックカメラの利用者端末例３０１（ａ）で運転免許証などの本人認証証書３０３をカメラで撮影する。フロントカメラの利用者端末例３０２（ｂ）で本人と同時に本人認証書類を撮影する。この映像は汎用ＩＤ発行管理サーバーへ送信され映像の解析を行い入力されている情報と一致解析を行う。【００２５】  図４は、汎用ＩＤ発行が完了した場合の完了確認画面の一例を示す。汎用ＩＤ発行が完了すると画面４０１（ａ）にＩＤ記号と同時に完了のメッセージとノンファンジブルトークンのハッシュコードが表示される。画面４０２（ｂ）には、本人確認証書が表示される。画面４０３（ｃ）には、利用者のプロフィール情報が表示される。【００２６】＜＜利用者が汎用ＩＤ発行を受ける処理＞＞
図５は、汎用ＩＤ発行を行う処理を示すシーケンス図である。図示する例では、利用者が汎用ＩＤ発行管理サーバーへＩＤ発行申請を行い、本人認証データを送信し、プロフィールデータをハッシュ化してブロックチェーンへ登録を行うものとする。【００２７】  まず、利用者は利用者端末１１で汎用ＩＤ発行管理サーバー１２へ汎用ＩＤ発行必要項目を送信（Ｓ５０１）、図２の示す画面２０１（ａ）と画面２０２（ｂ）で各必要項目を入力できるようになっており「次へ」のボタンをタップしデータの送信を行う。データは汎用ＩＤ発行管理サーバー１２に保存され（Ｓ５０２）、汎用ＩＤが発行され本人認証要求が利用者端末１１へ送信される（Ｓ５０３）。【００２８】  利用者は利用者端末１１から本人認証データを送信する（Ｓ５０４）。図３に示す画面３０１（ａ）には本人認証証書を撮影できるカメラが備わっている。画面３０２（ｂ）にはセルフィー撮影用のカメラが備わっていて本人の顔と本人認証証書を同時に撮影できる。【００２９】  汎用ＩＤ発行管理サーバー１２はそれぞれの本人認証証書とセルフィー画像を解析する（Ｓ５０５）。解析の結果、先に汎用ＩＤ発行管理サーバー１２に保存されている利用者のプロフィールデータの氏名や住所などと差異があった場合にはエラーメッセージを利用者端末１１へ送信する（Ｓ５０７）。利用者は先に保存していたプロフィールの修正し再送信を行う（Ｓ５０８）。差異がなければ汎用ＩＤ発行管理サーバー１２は利用者のプロフィールデータからハッシュ計算を行い（Ｓ５０９）、ハッシュを送信する（Ｓ５１０）。ブロックチェーン１３へノンファンジブルトークンを発行し記録する（Ｓ５１１）。【００３０】  前記ノンファンジブルトークンはブロックチェーン上で生成される、改ざんと複製が出来ない一つ一つの値の異なる分散型台帳上の価値であり、イーサリアムのＥＲＣ７２１トークンが一つの例として挙げられる。【００３１】  ブロックチェーン１３にノンファンジブルトークンの生成が完了すると、汎用ＩＤ発行管理サーバー１２に登録完了メッセージを送信する（Ｓ５１２）。【００３２】  利用者が結果を確認するために利用者端末１１から、会員情報の要求をおこなた場合は（Ｓ５１３）、ブロックチェーンのトークンとハッシュ値を問い合わせ（Ｓ５１４）、トークンとハッシュ値を取得し（Ｓ５１４）、利用者端末１１へ情報の表示を行う（Ｓ５１６）。図４に示す画面４０１（ａ）には汎用ＩＤの情報とハッシュコートを表示する。画面４０２（ｂ）には本人認証証書を表示する。画面４０３（ｂ）には汎用ＩＤに紐づいたプロフィール情報を表示する。【００３３】  図６は、利用者がサービス事業者のサーバーへ会員申請を行い、認証の確認を行う一例を示す。画面６０１（ａ）は、各サービス事業者が事前に、各サービス事業者のサービス登録画面にＡＰＩ（アプリケーションサービスインターフェイス）などを組み込んだ会員登録申請の画面であり、この画面の汎用ＩＤボタンをタップすると、汎用ＩＤのログイン画面６０２（ｂ）に遷移する。ログインが成功すると、発汎用ＩＤ行管理サーバーから利用者のプロフィールがサービス事業者サーバーへ送られてハッシュ計算を行い、ブロックチェーン上のハッシュ���計算結果のハッシュが等しいことを確認する。【００３４】  図７は、サービス事業者の会員登録を完了させる場合の画面の一例を示す。画面７０１（ａ）には会員登録に使用される利用者のプロフィール情報が表示され、パスワードを入力し登録ボタンをタップするとサービス事業者サーバーへ登録申請データが送信される。パスワードは強固でランダムなパスワードを選べるオプションも可能である。画面７０２（ｂ）はサービス事業者のサーバーで会員登録が完了した場合に表示する画面である。【００３５】＜＜利用者がサービス会員登録を受ける処理＞＞
図８は、利用者がサービス事業者のサーバーへ会員申請を行う処理を示すシーケンス図である。図示する例では、利用者がサービス事業者へ会員申請を行い、汎用ＩＤ発行管理サーバーとブロックチェーンを利用することで本人認証を省略して会員登録を行うものとする。【００３６】  まず、利用者端末１１からサービス事業者サーバー１４へサービス会員登録申請を送信する（Ｓ８０１）。図６の示す画面６０１（ａ）はサービス事業者のサービス申し込みサイトの一例であり、画面６０２（ｂ）はサービス事業者サイトに埋め込まれた汎用ＩＤ発行管理のＡＰＩ（Ｓ８０２）（アプリケーションインターフェイス）により表示する（Ｓ８０３）。【００３７】  利用者端末１１に表示された画面６０２（ｂ）から汎用ＩＤ発行管理サーバーへログイン（Ｓ８０４）すると、サービス事業者サーバー１４へ利用者のプロフィール情報が送信される（Ｓ８０５）。【００３８】  汎用ＩＤ発行管理サーバーからサービス事業者サーバーへ送信された利用者プロフィール情報をハッシュ計算した後、ブロックチェーン上のハッシュを問い合わせ（Ｓ８０７）、ブロックチェーン上のハッシュを取得する（Ｓ８０８）。【００３９】  次に、計算したハッシュとブロックチェーンから取得したハッシュを比較し（Ｓ８０９）同一かどうかをサービス事業者サーバーが判断する（Ｓ８１０）。このタスクも汎用ＩＤ発行管理がＡＰＩを提供しても良い。【００４０】  ハッシュが同一でない場合は、汎用ＩＤ発行管理サーバーで本人認証を再度取得するために本人認証画面を表示し（Ｓ８１１）、再度本人認証を行いその情報を送信する（Ｓ８１２）。【００４１】  ハッシュが同一であった場合は、本人認証証書を省略できる確認メッセージを送信する（Ｓ８１３）。ブロックチェーン上のハッシュは本人認証証書で認証の取れたプロフィール情報であるので、サービス事業者の会員登録時に本人認証証書による本人認証を省くことができる。図６の画面６０３（ｃ）にはハッシュ計算の結果が正しい場合は本人認証証書が省略できることが表示され、「次へ」のボタンをタップすることで図７の画面７０１（ａ）へ遷移し、内容を確認して「登録」ボタンをタップすると、サービス事業者サーバーの登録処理が起動し（Ｓ８１５）完了後に会員登録完了のメッセージが、画面７０２（ｂ）へ表示される。【００４２】＜＜利用者がサービスを受ける処理＞＞
図９は、サービス事業者が行うイベントへ利用者が参加する場合に利用者端末に表示する画面の一例を示す。画面９０１（ａ）には利用者が汎用ＩＤ発行管理サーバーへログインする画面である。ログインが成功すると「ＩＤ情報」と「メッセージ」のボタンが表示する。画面９０２（ｂ）はメッセージを表示する画面である。サービス事業者は事前に汎用ＩＤ発行管理サーバーへ登録しておく事で、画面９０３（ｃ）にメッセージとリンクが表示される。【００４３】  図１０は、サービス事業者が開催するイベントで利用者が入場する一例を示す。画面１００１（ａ）には画面９０３（ｃ）のリンクから呼び込んだ当日のイベントに入場するためのＱＲコードが表示する。イベント会場のエントリー用受付窓口１００２でスキャンすることで受付の簡略化が可能になる。【００４４】  図１１は、利用者が汎用ＩＤ発行管理システムで発行したＩＤ管理の一例を示す。１１０１（ａ）には、汎用ＩＤ発行管理サーバーへログインした後のサービス画面を示し、汎用ＩＤの発行で会員登録したサービスが一覧表示される。その明細行をタップすることで、当該サービスの詳細を画面１１０２（ｂ）に表示し、スクロール可能な登録氏名、登録ＩＤ、メールアドレス、サービスのＵＲＬなどの項目を表示させる。また、サービス事業者からのメッセージがある場合には、「メッセージあり」ボタンがアクティブになり、タップすることで画面１１０４（ｄ）へ遷移し、サービス事業者からのメッセージを受け取る。「退会ボタン」はそのサービスからの退会を行うためのものである。
【産業上の利用可能性】
【００４５】  インターネット上で加入するサービスの会員登録時の利用者離脱の軽減が考えられ、サービス事業者の汎用ＩＤ発行管理サービス加入により、インターネット上のサービスの進展を促す。
【符号の説明】
【００４６】１１  ：汎用ＩＤ発行管理サーバー
１２  ：利用者端末インターネット通信ネットワーク
１３  ：インターネット通信ネットワーク
１３１：ブロックチェーンシステム
１４  ：サービス事業者のサーバー
１５  ：外部システム
２０１：汎用ＩＤを発行するための利用者端末の基本入力画面
２０２：汎用ＩＤを発行するための利用者端末の組織入力画面
２０３：汎用ＩＤを発行するための利用者パスワード入力画面
２０４：汎用ＩＤを発行するための汎用ＩＤログイン画面
２０５：汎用ＩＤを発行するための利用者端末の本人認証画面
３０１：バックカメラの利用端末例
３０２：フロントカメラの利用端末例
３０３：本人認証証書
３０４：利用者本人
４０１：汎用ＩＤの発行完了画面
４０２：汎用ＩＤの発行完了画面の本人認証証書
４０３：汎用ＩＤの発行完了画面の利用者情報
６０１：サービス事業者の会員登録画面
６０２：サービス事業者の会員登録画面の汎用ＩＤログイン画面
６０３：サービス事業者の会員登録画面のハッシュ計算結果画面
７０１：サービス事業者の会員登録画面
７０２：サービス事業者の会員登録完了画面
９０１：汎用ＩＤ発行管理画面
９０２：汎用ＩＤ発行管理画面のメッセージ画面
９０３：汎用ＩＤ発行管理画面のメッセージ内容
１００１：汎用ＩＤ発行管理画面のイベント用ＱＲコード
１００２：イベント会場のエントリー窓口
１１０１：汎用ＩＤ発行管理画面のログイン後の画面
１１０２：利用しているサービスの一覧表示画面
１１０３：利用サービスの詳細画面
１１０４：利用サービスからのメッセージ表示画面
【図１】
2020201915.tif 000003
【図２】
2020201915.tif 000004
【図３】
2020201915.tif 000005
【図４】
2020201915.tif 000006
【図５】
2020201915.tif 000007
【図６】
2020201915.tif 000008
【図７】
2020201915.tif 000009
【図８】
2020201915.tif 000010
【図９】
2020201915.tif 000011
【図１０】
2020201915.tif 000012
【図１１】
2020201915.tif 000013